(57)【要約】  管体を含む楽器本体に固定可能なベース部と、ベース部から突出するキーポストと、キーポストに取り付けられたキーシャフトと、キーシャフトに取り付けられたキーとを備えるキーユニットを提供する。
2017154663.tif 000002
【特許請求の範囲】
【請求項１】
管体を含む楽器本体に固定可能なベース部と、前記ベース部から突出するキーポストと、前記キーポストに取り付けられたキーシャフトと、前記キーシャフトに取り付けられたキーとを備えるキーユニット。
【請求項２】
前記ベース部が、前記楽器本体に対して位置決めするための位置決め部を有する請求項１に記載のキーユニット。
【請求項３】
前記ベース部に、前記位置決め部が複数形成される請求項２に記載のキーユニット。
【請求項４】
前記キーシャフトは前記キーと一体に形成される請求項１〜３項のいずれか１項に記載のキーユニット。
【請求項５】
前記キーシャフトは前記キーポストと一体に形成される請求項１〜３項のいずれか１項に記載のキーユニット。
【請求項６】
管体を含む楽器本体と、前記楽器本体に取り付けられたキーユニットとを備え、
前記キーユニットが、前記楽器本体に固定されたベース部と、前記ベース部から突出するキーポストと、前記キーポストに取り付けられたキーシャフトと、前記キーシャフトに取り付けられたキーとを備える管楽器。
【請求項７】
前記楽器本体は、前記管体の外周面から突出し前記ベース部を固定するための台座部を有する請求項６に記載の管楽器。
【請求項８】
前記キーユニットは、前記楽器本体に対して着脱可能に取り付けられる請求項６または７に記載の管楽器。
【請求項９】
前記ベース部が、前記楽器本体に対して位置決めするための位置決め部を有する請求項６〜８のいずれか１項に記載の管楽器。
【請求項１０】
前記ベース部に、前記位置決め部が複数形成される請求項９に記載の管楽器。
【請求項１１】
前記キーシャフトは前記キーと一体に形成される請求項６〜１０のいずれか１項に記載の管楽器。
【請求項１２】
前記キーシャフトは前記キーポストと一体に形成される請求項６〜１０のいずれか１項に記載の管楽器。
【発明の詳細な説明】
【技術分野】
【０００１】
本発明は、キーユニット及びこれを備える管楽器に関する。
本願は、２０１６年３月７日に、日本に出願された特願２０１６−４３８１１号に基づき優先権を主張し、その内容をここに援用する。
【背景技術】
【０００２】
管楽器には、例えば特許文献１，２のように、管体に形成された音孔を開閉するためのキーシステム（鍵機構）を備えたものがある。キーシステムは、管体に取り付けられた複数のキーポスト（鍵柱）と、キーポストに取り付けられたキーシャフト（軸部材）と、キーシャフトに取り付けられたキーと、を備える。
【先行技術文献】
【特許文献】
【０００３】
【特許文献１】特開２００４−１９１４５６号公報
【特許文献２】特開２００４−３２５９８１号公報
【発明の概要】
【発明が解決しようとする課題】
【０００４】
しかしながら、上記従来の管楽器では、キーポストがネジ止めやはんだ付けによって管体に直接固定されている。このため、管体に対するキーシステムの取り付けや取り外しが面倒である。
キーシステムを管体に取り付ける際には、キーポストを管体に固定した後に、キーシャフトやキーをキーポストに取り付けるため、管体に対するキーポスト、キーシャフト及びキーの位置決め等の調整が面倒である。具体的には、キーやキーシャフトを管体に固定されたキーポストに取り付けるためには、キーシャフトを保持するキーポストの部位（軸）の位置や向きを高い精度で調整する必要がある。また、二つのキーポストの間にキーやキーシャフトを取り付ける場合には、二つのキーポストの軸を互いに一致させるように調整したり、二つのキーポストの間隔にあわせてキーパイプの長さを高い精度で調整したりする必要がある。さらに、キーを取り付けた後には、音孔に対するキーの位置を高い精度で調整する必要もある。
キーやキーシャフトをキーポストから取り外す際には、特にキーポストにダメージを与えないように慎重に作業する必要がある。【０００５】
本発明は、上述した事情に鑑みてなされたものであって、キーポスト、キーシャフト及びキーを管体に対して容易に着脱できるキーユニット及びこれを備える管楽器を提供することを目的とする。
【課題を解決するための手段】
【０００６】
本発明は、管体を含む楽器本体に固定可能なベース部と、前記ベース部から突出するキーポストと、前記キーポストに取り付けられたキーシャフトと、キーシャフトに取り付けられたキーと、を備えるキーユニットを提供する。【０００７】
また、本発明は、管体を含む楽器本体と、前記楽器本体に対して着脱可能に取り付けられたキーユニットと、を備え、キーユニットが、前記楽器本体に固定されたベース部と、前記ベース部から突出するキーポストと、前記キーポストに取り付けられたキーシャフトと、前記キーシャフトに取り付けられたキーと、を備える管楽器を提供する。
【発明の効果】
【０００８】
本発明によれば、キーポスト、キーシャフト及びキーが、ベース部上において互いに取り付けられている。このため、ベース部を楽器本体に対して着脱するだけで、キーポスト、キーシャフト及びキーを一括して楽器本体に対して取り付けたり、取り外したりすることができる。すなわち、キーポスト、キーシャフト及びキーを楽器本体に対して容易に着脱することができる。
【図面の簡単な説明】
【０００９】
【図１】本発明の一実施形態に係る管楽器を示す正面図である。
【図２】図１の管楽器において、キーユニットを楽器本体から取り外した状態を示す斜視図である。
【図３】図１および図２のキーユニットの分解斜視図である。
【図４】図１のIV−IV矢視断面図である。
【図５】図１〜４のキーユニットと楽器本体との固定構造を示す断面図である。
【図６】図３のキーユニットの第一の変形例を示す分解斜視図である。
【図７】図３のキーユニットの第二の変形例を示す分解斜視図である。
【発明を実施するための形態】
【００１０】
以下、図１〜図５を参照して本発明の一実施形態について説明する。
図１に示すように、本実施形態の管楽器１は、楽器本体２と、キーユニット３、とを備える。楽器本体２は、管体４を備える。
管体４は、例えば木材材料、金属材料、樹脂材料のいずれか一つの材料によって形成されてもよいし、例えばこれらの材料を適宜組み合わせた材料によって形成されてもよい。
【００１１】
本実施形態の管体４は、円筒状に形成されている。管体４には、複数の音孔７が形成されている。複数の音孔７は、管体４の軸方向に間隔をあけて配列されている。複数の音孔７は、例えば全てキーユニット３のキーシステム２２（後述）を利用して開閉されてもよい。本実施形態では、一部の音孔７（第一音孔７Ａ）がキーシステム２２を利用して開閉され、残りの音孔７（第二音孔７Ｂ）が演奏者の手指で直接開閉される。
第一音孔７Ａは、例えば一つだけでもよいが、本実施形態では複数（図示例では四つ）である。本実施形態において、複数の第一音孔７Ａは、管体４の長手方向（Ｘ軸方向）に連続して並べられている。
【００１２】
管体４の軸方向の第一端には、マウスピース８が設けられている。マウスピース８は、例えば管体４に一体に形成されてもよいし、管体４に対して着脱可能に装着されてもよい。マウスピース８は、例えば、エアリード、リップリード、シングルリード、ダブルリードであってよい。管体４の軸方向の第二端は、外側に開口している。管体４の第二端には、例えばベルが設けられてもよい。
本実施形態において、管体４の長手方向は、管楽器１を演奏する演奏者から見てマウスピース８から管体４の第二端に向かう真っ直ぐな方向に対応している。
【００１３】
図２，４，５に示すように、本実施形態の楽器本体２は、後述するキーユニット３を設置するための台座部１０を備える。
台座部１０は、管体４の外周面から突出している。本実施形態において、台座部１０は、管体４における音孔７の貫通方向（Ｚ軸方向）に直交する方向（Ｙ軸方向）、又は、直交する方向に近い方向に突出している。
【００１４】
台座部１０は、管体４の長手方向においてキーシステム２２を利用して開閉される第一音孔７Ａに対応する位置に配されている。台座部１０は、例えば複数の第一音孔７Ａに対して個別に設けられてもよいが、本実施形態では、複数の第一音孔７Ａに対して一つだけ設けられ、複数の第一音孔７Ａの配列方向（Ｘ軸方向）に延びて形成されている。
【００１５】
台座部１０は、キーユニット３を載置する平坦な載置面１０ａを有する。載置面１０ａは、任意の方向に向いていてよいが、本実施形態では、音孔７が開口する方向（Ｚ軸正方向）又はこの方向に近い方向に向いている。
台座部１０は、例えば管体４と別個に形成されて管体４に対して着脱自在に固定されてもよいが、本実施形態では管体４に一体に形成されている。
【００１６】
図２〜図５に示すように、キーユニット３は、ベース部２１と、キーシステム２２と、を備える。キーシステム２２は、キーポスト２３と、キーシャフト２４と、キー２５と、を備える。
【００１７】
ベース部２１は、楽器本体２に固定可能である。ベース部２１は、例えば管体４の外周面に対して着脱自在に固定されてもよい。本実施形態において、ベース部２１は台座部１０に対して着脱自在に固定される。
ベース部２１は、楽器本体２に固定された状態で楽器本体２に面接触する被載置面２１ａを有する。本実施形態において、ベース部２１は、台座部１０の載置面１０ａに配される。このため、ベース部２１の被載置面２１ａは、台座部１０の載置面１０ａに面接触する。本実施形態において、被載置面２１ａは、平面視した台座部１０の載置面１０ａと同じ外形形状を有する。すなわち、ベース部２１は、台座部１０と同様に、複数の第一音孔７Ａの配列方向に延びて形成されている。
【００１８】
ベース部２１を楽器本体２に固定する手段（固定手段）は任意であってよい。固定手段は、例えば、ベース部２１と台座部１０とを嵌め合わせる構造であってもよい。本実施形態の固定手段は、ねじ４０、台座部１０の載置面１０ａに開口する台座部１０の貫通孔１１、及び、ベース部２１の被載置面２１ａに開口するねじ穴２０によって構成されている。ねじ４０の軸部は、台座部１０の載置面１０ａに開口する台座部１０の貫通孔１１に挿通された上で、ベース部２１の被載置面２１ａに開口するねじ穴２０に噛み合う。これにより、ベース部２１がねじ４０によって台座部１０に固定される。
【００１９】
本実施形態のベース部２１は、楽器本体２に対してキーユニット３を位置決めするための位置決め部を備える。
本実施形態において、ベース部２１の位置決め部は、被載置面２１ａに設けられた第一本体係止部２６を含む。第一本体係止部２６は、台座部１０の載置面１０ａに設けられた第一ベース係止部１２に係止する。第一本体係止部２６が第一ベース係止部１２に係止した状態では、ベース部２１が台座部１０に対して載置面１０ａや被載置面２１ａに沿う方向に移動することが規制される。
【００２０】
図示例において、第一本体係止部２６はベース部２１の被載置面２１ａから窪む係止凹部であり、第一ベース係止部１２は載置面１０ａから突出して係止凹部に挿入される係止凸部であるが、これに限ることはない。例えば、第一本体係止部２６がベース部２１の被載置面２１ａから突出する係止凸部であり、第一ベース係止部１２が台座部１０の載置面１０ａから窪む係止凹部であってもよい。
図２に示す台座部１０の第一ベース係止部１２、及び、これに対応するベース部２１の第一本体係止部２６は、互いに間隔をあけて複数設けられている。図示例において、複数の第一ベース係止部１２及び複数の第一本体係止部２６は、それぞれ複数の第一音孔７Ａの配列方向に配列されているが、これに限ることはない。
このように、第一ベース係止部１２および第一本体係止部２６からなる位置決め部を複数（複数組）設けることによって、楽器本体２に対するキーユニット３のより正確な位置決めが可能となる。
【００２１】
また、本実施形態において、ベース部２１の位置決め部は、管体４に係止する第二本体係止部２７を含む。第二本体係止部２７は、管体４の外周面に設けられた第二ベース係止部１３に係止する。第二本体係止部２７が第二ベース係止部１３に係止した状態では、ベース部２１が台座部１０の載置面１０ａから離れることが規制される。
本実施形態において、第二ベース係止部１３は、管体４の外周面から窪むと共に管体４の長手方向に延びる係止溝である。第二本体係止部２７は、管体４の長手方向に延びると共に係止溝に挿入される突出部である。係止溝の一部の内面は、台座部１０の載置面１０ａと同一平面をなすように形成されている。
【００２２】
この構成では、ベース部２１を台座部１０の載置面１０ａに配する際に、第二本体係止部２７を第二ベース係止部１３に係止することで、台座部１０の突出方向においてベース部２１を台座部１０の載置面１０ａに対して容易に位置決めすることができる。これにより、前述したベース部２１の第一本体係止部２６と台座部１０の第一ベース係止部１２との位置合わせを容易に行うことができる。
【００２３】
キーポスト２３は、ベース部２１から突出している。キーポスト２３は、例えばベース部２１と別個に形成されてベース部２１に対して着脱自在に固定されてもよいが、本実施形態ではベース部２１に一体に形成されている。
キーポスト２３は、ベース部２１から任意の方向に突出してよいが、本実施形態ではベース部２１の載置面１０ａが向く方向と逆の方向（Ｚ軸正方向）に突出している。これにより、ベース部２１が台座部１０の載置面１０ａに配された状態では、キーポスト２３がベース部２１から第一音孔７Ａが開口する方向（Ｚ軸正方向）に突出している。
キーポスト２３には、キーシャフト２４を挿入する挿入孔２８が形成されている。本実施形態において、挿入孔２８はキーポスト２３を貫通している。挿入孔２８の軸方向は任意の方向に向いていてよいが、本実施形態では複数の第一音孔７Ａの配列方向に向いている。
【００２４】
本実施形態においては、キーポスト２３が、複数の第一音孔７Ａの配列方向に沿って互いに間隔をあけて複数配列されている。複数のキーポスト２３は、ベース部２１が楽器本体２に固定された状態で、複数の第一音孔７Ａの配列方向において各第一音孔７Ａの両側に位置するように、ベース部２１に設けられている。複数のキーポスト２３において、挿入孔２８の軸線は互いに一致している。
【００２５】
キーシャフト２４は、キーポスト２３に取り付けられている。本実施形態において、キーシャフト２４は複数のキーポスト２３の挿入孔２８に挿通又は挿入されている。
本実施形態において、キーシャフト２４は、キーポスト２３に取り付けられた状態で、キーポスト２３に対してキーシャフト２４の軸線を中心に回転可能となっている。
【００２６】
キー２５は、キーシャフト２４に取り付けられている。具体的に、キー２５は、キーシャフト２４を回転軸として、ベース部２１やキーポスト２３に対して回転可能となるように、キーシャフト２４に取り付けられている。
キー２５は、キーシャフト２４に取り付けられる取付部３１と、取付部３１から延びる腕部３２と、腕部３２の先端に設けられて第一音孔７Ａを閉じる蓋部３３と、を備える。
蓋部３３は、フェルトや動物の皮、コルク等からなるタンポ３４を有する。
【００２７】
上記実施形態において、キーシャフト２４は、キーポスト２３に対してキーシャフト２４の軸線を中心に回転可能となっている。しかしながら、キーシャフト２４は、例えばキーポスト２３に対して回転不能に取り付けられてもよい。
また、図６にキーユニットの第一変形例として示されるように、キーシャフト２４１は、例えばキーポスト２３に一体に形成されたり、固定されたりしてもよい。この場合、取付部３１１には、その回転軸と平行に形成され、キーシャフト２４１を挿入するための直線状の切欠きが設けられ、キーシャフト２４１にはめ込まれてキーシャフト２４１に回転可能に取り付けられる。または、取付け部３１１は、半円筒形になるように回転軸に沿って２分割されて、キーシャフト２４１に組込まれ、その後に結合されてキーシャフト２４１に回転可能に取り付けられるようにしてもよい。
【００２８】
上記実施形態において、取付部３１は、キーシャフト２４を挿通させる筒状に形成されている。これにより、キー２５はキーシャフト２４に対して回転可能に取り付けられている。しかしながら、キーシャフトがキーポストに対して回転可能に取り付けられるようにしてもよい。
すなわち、図７にキーユニットの第二変形例として示されているように、キーシャフト２４２がキーポスト２３２に対して回転可能に取り付けられている場合、取付部３１２は、例えばキーシャフト２４２に一体に形成されたり、固定されたりしてよい。この場合、キー２５は、キーシャフト２４２と共にキーポスト２３２に対して回転可能となる。また、この場合、キーポスト２３２には、キーシャフト２４２の回転軸方向に切込みが形成されて、キーシャフト２４２がはめ込まれることによって、キー２５がキーポスト２３２に対して回転可能に取り付けられるようにすればよい。
さらに、上記実施形態において、取付部３１は、隣り合う二つのキーポスト２３の間に配されている。
しかしながら、図３において、ベース部２１の両端に配置されたキーポスト２３に挟まれた３つのキーポストを省略し、その分キー２５の取付部３１の幅を長くして取付部３１の回転軸方向の端部が互いに接触して直接隣り合うように構成してもよい。
【００２９】
キーシャフト２４を介してキーポスト２３に取り付けられたキー２５は、付勢部材２９によってベース部２１及びキーポスト２３に対して回転方向の一方側に付勢されている。
付勢部材２９は、例えば蓋部３３が第一音孔７Ａに近づくように（第一音孔７Ａを閉じるように）キー２５を付勢してもよいが、本実施形態では、蓋部３３が第一音孔７Ａから離れるように（第一音孔７Ａを開くように）キー２５を付勢している。付勢部材２９は、図示例のようなトーションばねであってもよいし、例えばゴム等の弾性部材などであってもよい。
図４，５では、キー２５が演奏者の手指によって付勢部材２９の付勢力に抗って回転方向の他方側に押されている状態を示している。
【００３０】
また、本実施形態のキー２５は、演奏者の手指でキー２５を操作するための操作子３５を備える。本実施形態において、前述した付勢部材２９は、蓋部３３が第一音孔７Ａから離れるようにキー２５を付勢するため、操作子３５は蓋部３３から延びている。
キー２５の数は、キーシステム２２によって開閉される第一音孔７Ａの数に対応している。すなわち、本実施形態のキーシステム２２は、複数（図示例では四つ）のキー２５を備える。
【００３１】
また、本実施形態のキーシステム２２では、一つの操作子３５を操作するだけで、複数（図示例では二つ）の蓋部３３を操作して複数（図示例では二つ）の第一音孔７Ａを開閉するように構成されている。
具体的には、第一キー２５Ａの操作子３５が第二キー２５Ｂの蓋部３３の上側に重なるように配されている。これにより、第一キー２５Ａの操作子３５を操作すると、第一キー２５Ａの蓋部３３がこれに対応する第一音孔７Ａを閉じると共に、第二キー２５Ｂの蓋部３３がこれに対応する第一音孔７Ａを閉じる。図示例では、同様にして、第三キー２５Ｃの操作子３５が第四キー２５Ｄの蓋部３３の上側に重なるように配されている。
【００３２】
以上説明したように、本実施形態のキーユニット３及び管楽器１によれば、キーシステム２２を構成するキーポスト２３、キーシャフト２４及びキー２５が、ベース部２１上において互いに取り付けられている。具体的には、キーポスト２３、キーシャフト２４及びキー２５が相互に位置決めされた状態で、キーシステム２２が組み立てられている。このため、ベース部２１を楽器本体２に対して着脱するだけで、キーポスト２３、キーシャフト２４及びキー２５を一括して楽器本体２に対して取り付けたり、取り外したりすることができる。すなわち、キーシステム２２を楽器本体２に対して容易に着脱することができる。
【００３３】
上記点について具体的に説明すれば、キーシステム２２を管体４から取り外す際には、従来のようにキーシステム２２をキーポスト２３と、キーシャフト２４と、キー２５とに分解する必要がない。したがって、キーユニット３を楽器本体２から簡単に取り外すことができる。
また、キーシステム２２を楽器本体２に取り付ける際には、ベース部２１を楽器本体２に対して位置決めするだけで、キーポスト２３、キーシャフト２４及びキー２５を楽器本体２に対して簡単に位置決めすることができる。言い換えれば、従来のようにキーポスト２３、キーシャフト２４、キー２５及び楽器本体２の相互の位置決めを行うことなく、キーポスト２３、キーシャフト２４及びキー２５を簡単に楽器本体２に取り付けることができる。
【００３４】
以上のことから、本実施形態のキーユニット３及び管楽器１によれば、専門的な技術が無くても、キーユニット３を交換するだけで、キーシステム２２のメンテナンスを簡単に実施できる。
【００３５】
また、本実施形態のキーユニット３によれば、ベース部２１が楽器本体２に対してキーユニット３を位置決めするための位置決め部を備えている。これにより、キーユニット３を楽器本体２に取り付ける際に、楽器本体２に対するキーユニット３の位置決めを容易に行うことができる。
【００３６】
以上、本発明について詳細に説明したが、本発明は上記実施形態に限定されるものではなく、本発明の趣旨を逸脱しない範囲において種々の変更を加えることが可能である。
【００３７】
例えば、上記実施形態のキーユニット３及び管楽器１において、ベース部２１を楽器本体２に固定する固定手段が、ベース部２１と楽器本体２とを嵌め合せる構造である場合、ベース部２１に備える位置決め部は、例えば固定手段によって構成されてもよい。
【００３８】
本発明のキーユニットでは、少なくともキーがキーシャフトを回転軸としてベース部やキーポストに対して回転可能に取り付けられればよく、キーシステムの構成は任意であってよい。例えば、キーユニットにおけるキーポストやキーの数は、複数に限らず、一つであってもよい。
【００３９】
本発明の管楽器においては、例えば複数のキーユニットが楽器本体対して着脱自在に取り付けられてもよい。例えば楽器本体には、演奏者の左手で操作するキーユニットと、右手で操作するキーユニットと、オクターブキーとして用いるキーユニットとが別個に取り付けられてもよい。
【００４０】
複数のキーユニットが楽器本体に対して着脱自在に取り付けられる場合には、例えば、第一キーユニットのキーの操作子によって第二キーユニットのキーの蓋部が動くように、複数のキーユニットが相対的に位置してもよい。この場合、第二キーユニットの蓋部を操作する第一キーユニットのキーは、上記実施形態のように第一音孔を閉じる蓋部を含んでもよいし、蓋部を含まなくてもよい。
【符号の説明】
【００４１】
１  管楽器
２  楽器本体
３  キーユニット
４  管体
７，７Ａ，７Ｂ  音孔
８  マウスピース
２１  ベース部
２２  キーシステム
２３  キーポスト
２４  キーシャフト
２５，２５Ａ，２５Ｂ，２５Ｃ，２５Ｄ  キー
２６  第一本体係止部（位置決め部）
２７  第二本体係止部（位置決め部）
【図１】
2017154663.tif 000003
【図２】
2017154663.tif 000004
【図３】
2017154663.tif 000005
【図４】
2017154663.tif 000006
【図５】
2017154663.tif 000007
【図６】
2017154663.tif 000008
【図７】
2017154663.tif 000009
【手続補正書】
【提出日】平成29年6月6日(2017.6.6)
【手続補正１】
【補正対象書類名】特許請求の範囲
【補正対象項目名】全文
【補正方法】変更
【補正の内容】
【特許請求の範囲】
【請求項１】
管体を含む楽器本体に固定可能なベース部と、前記ベース部から突出するキーポストと、前記キーポストに取り付けられたキーシャフトと、前記キーシャフトに取り付けられたキーとを備えるキーユニット。
【請求項２】
前記ベース部には、複数の前記キーポストが形成される請求項１に記載のキーユニット。
【請求項３】
前記ベース部が、前記楽器本体に対して位置決めするための位置決め部を有する請求項１または２に記載のキーユニット。
【請求項４】
前記ベース部に、前記位置決め部が複数形成される請求項３に記載のキーユニット。
【請求項５】
前記キーシャフトは前記キーと一体に形成される請求項１〜４項のいずれか１項に記載のキーユニット。
【請求項６】
前記キーシャフトは前記キーポストと一体に形成される請求項１〜５項のいずれか１項に記載のキーユニット。
【請求項７】
管体を含む楽器本体と、前記楽器本体に取り付けられたキーユニットとを備え、
前記キーユニットが、前記楽器本体に固定されたベース部と、前記ベース部から突出するキーポストと、前記キーポストに取り付けられたキーシャフトと、前記キーシャフトに取り付けられたキーとを備える管楽器。
【請求項８】
前記ベース部には、複数の前記キーポストが形成される請求項７に記載の管楽器。
【請求項９】
前記楽器本体は、前記管体の外周面から突出し前記ベース部を固定するための台座部を有する請求項７または８に記載の管楽器。
【請求項１０】
前記キーユニットは、前記楽器本体に対して着脱可能に取り付けられる請求項７〜９のいずれか１項に記載の管楽器。
【請求項１１】
前記ベース部が、前記楽器本体に対して位置決めするための位置決め部を有する請求項７〜１０のいずれか１項に記載の管楽器。
【請求項１２】
前記ベース部に、前記位置決め部が複数形成される請求項１１に記載の管楽器。
【請求項１３】
前記キーシャフトは前記キーと一体に形成される請求項７〜１２のいずれか１項に記載の管楽器。
【請求項１４】
前記キーシャフトは前記キーポストと一体に形成される請求項７〜１２のいずれか１項に記載の管楽器。
【国際調査報告】
2017154663.tif 000010
2017154663.tif 000011
2017154663.tif 000012
2017154663.tif 000013